(57)【要約】      （修正有）【課題】本発明は、ブラケットおよびハードウェアを含むように製作され、シャーシと結合される車体の多様な部分に適用されるように互換性が向上したマウンティングユニットを提供する。【解決手段】マウンティングユニット１は、それぞれ多段に折り曲げられた一つの板材１０ａと他の一つの板材１０ｂが接合されて前記一つの板材と前記他の一つの板材で囲まれた空間部Ｓを形成し、車体に固定されるブラケット１０、および前記一つの板材および前記他の一つの板材に接合されて固定されるように前記空間部に配置され、ボルト締結のためのねじ山を形成するハードウェア２０を含む。【選択図】図１
2019104478.tif 000002
【特許請求の範囲】
【請求項１】
車体とシャーシを結合するためのマウンティングユニットにおいて、
それぞれ多段に折り曲げられた一つの板材と他の一つの板材が接合されて前記一つの板材と前記他の一つの板材で囲まれた空間部を形成し、車体に固定されるブラケット；および
前記一つの板材および前記他の一つの板材に接合されて固定されるように前記空間部に配置され、ボルト締結のためのねじ山を形成するハードウェア；
を含むマウンティングユニット。
【請求項２】
前記一つの板材は、
前記ブラケットの上側板であるブラケット上板；
前記ブラケット上板の一端から折り曲げられて下方に延長されるブラケット一側板；
前記ブラケット一側板の下方に延長された終端である一側板接合端；および
前記ブラケット上板の他端から折り曲げられて上方に延長される上板接合端；
を含み、
前記他の一つの板材は、
前記ブラケット上板から離隔して平行に配置されるブラケット下板；
前記ブラケット下板の一端から折り曲げられて下方に延長され、前記一側板接合端の内面と接触して溶接される下板接合端；
前記ブラケット一側板から離隔して平行に配置されるように前記ブラケット下板の他端から折り曲げられて上方に延長されるブラケット他側板；および
前記ブラケット他側板の上方に延長された終端であり、前記上板接合端の外面と接触して溶接される他側板接合端；
を含むことを特徴とする、請求項１に記載のマウンティングユニット。
【請求項３】
前記一つの板材は、
前記ブラケットの上側板であるブラケット上板；
前記ブラケット上板の一端から折り曲げられて下方に延長されるブラケット一側上部板；
前記ブラケット一側上部板の下方に延長された終端から折り曲げられて外側方向に延長される一側上部板接合端；
前記ブラケット上板の他端から折り曲げられて下方に延長されるブラケット他側上部板；および
前記ブラケット他側上部板の下方に延長された終端から折り曲げられて外側方向に延長される他側上部板接合端；
を含み、
前記他の一つの板材は、
前記ブラケット上板から離隔して平行に配置されるブラケット下板；
前記ブラケット一側上部板と同一の平面上に配置されるように前記ブラケット下板の一端から折り曲げられて上方に延長されるブラケット一側下部板；
前記ブラケット一側下部板の上方に延長された終端から折り曲げられて外側方向に延長され、前記一側上部板接合端の下面と接触して溶接される一側下部板接合端；
前記ブラケット他側上部板と同一の平面上に配置されるように前記ブラケット下板の他端から折り曲げられて上方に延長されるブラケット他側下部板；および
前記ブラケット他側下部板の上方に延長された終端から折り曲げられて外側方向に延長され、前記他側上部板接合端の下面と接触して溶接される他側下部板接合端；
を含むことを特徴とする、請求項１に記載のマウンティングユニット。
【請求項４】
前記一つの板材は、
前記ブラケットの上側板であるブラケット上板；
前記ブラケット上板の一端から折り曲げられて上方に延長されるブラケット一側内板；および
前記ブラケット上板の他端から折り曲げられて上方に延長されるブラケット他側内板；
を含み、
前記他の一つの板材は、
前記ブラケット上板から離隔して平行に配置されるブラケット下板；
前記ブラケット下板の一端から折り曲げられて上方に延長されるブラケット一側外板；
前記ブラケット一側外板の上方に延長された終端であり、前記ブラケット一側内板の外面と接触して溶接される一側外板接合端；
前記ブラケット下板の他端から折り曲げられて上方に延長されるブラケット他側外板；および
前記ブラケット他側外板の上方に延長された終端であり、前記ブラケット他側内板の外面と接触して溶接される他側外板接合端；
を含むことを特徴とする、請求項１に記載のマウンティングユニット。
【請求項５】
前記ハードウェアは、上方および下方が開口された中空の円筒形状で形成され、前記ハードウェアの上端および下端の円周に沿って溶接突起がそれぞれ形成され、前記ハードウェアの中空は、前記ブラケットの上板および下板にそれぞれ穿孔された貫通ホールに対応するように配置され、前記ハードウェアは、前記溶接突起を利用して前記ブラケットの上板および下板にプロジェクション溶接されることを特徴とする、請求項１に記載のマウンティングユニット。
【請求項６】
前記ねじ山は、前記ハードウェアの中空の内周面に形成されることを特徴とする、請求項５に記載のマウンティングユニット。
【請求項７】
前記ハードウェアは、上方が閉鎖され、下方が開口された中空の円筒形状で形成され、前記ハードウェアの下端の円周に沿って溶接突起が形成され、前記ハードウェアの中空は、前記ブラケットの下板に穿孔された貫通ホールに対応するように配置され、前記ハードウェアの上端には前記ブラケットの上板に穿孔された貫通ホールに挿入される円錐台形状の挿入端が形成され、前記ハードウェアは、前記挿入端および前記溶接突起を利用して前記ブラケットの上板および下板にプロジェクション溶接されることを特徴とする、請求項１に記載のマウンティングユニット。
【請求項８】
前記ねじ山は、前記ハードウェアの中空の内周面に形成されることを特徴とする、請求項７に記載のマウンティングユニット。
【請求項９】
前記ハードウェアは、上方が閉鎖され、下方が開口された中空の円筒形状で形成され、前記ハードウェアの下端の円周に沿って溶接突起が形成され、前記ハードウェアの中空は、前記ブラケットの下板に穿孔された貫通ホールに対応するように配置され、前記ハードウェアの上端には前記ブラケットの上板に穿孔された貫通ホールに挿入される円錐形状の突出端が形成され、前記ハードウェアは、前記突出端および前記溶接突起を利用して前記ブラケットの上板および下板にプロジェクション溶接されることを特徴とする、請求項１に記載のマウンティングユニット。
【請求項１０】
前記ねじ山は、前記ハードウェアの中空の内周面に形成されることを特徴とする、請求項９に記載のマウンティングユニット。
【請求項１１】
前記空間部は、前記ブラケット上板および前記ブラケット一側板の配置による前記一つの板材の「Ｌ」字断面および前記ブラケット下板および前記ブラケット他側板の配置による前記他の一つの板材の「Ｌ」字断面で囲まれたボックス形状であることを特徴とする、請求項２に記載のマウンティングユニット。
【請求項１２】
前記空間部は、前記ブラケット上板、前記ブラケット一側上部板、および前記ブラケット他側上部板の配置による前記一つの板材の上方に凸の「Ｕ」字断面および前記ブラケット下板、前記ブラケット一側下部板、および前記ブラケット他側下部板の配置による前記他の一つの板材の下方に凸の「Ｕ」字断面で囲まれたボックス形状であることを特徴とする、請求項３に記載のマウンティングユニット。
【請求項１３】
前記空間部は、前記ブラケット下板、前記ブラケット一側外板、および前記ブラケット他側外板の配置による前記他の一つの板材の下方に凸の「Ｕ」字断面および前記ブラケット上板で囲まれたボックス形状であることを特徴とする、請求項４に記載のマウンティングユニット。
【請求項１４】
ボックス形状の断面を有する車体の部分でボックス内部空間に配置されるように車体に装着されることを特徴とする、請求項１に記載のマウンティングユニット。
【発明の詳細な説明】
【技術分野】
【０００１】
本発明は、マウンティングユニットに関し、より詳しくは、シャーシと車体の結合のために車体に提供されるマウンティングユニットに関する。
【背景技術】
【０００２】
一般に、車体にサブフレームのようなシャーシを結合させるために別途のマウンティングユニットが必要である。
【０００３】
従来のマウンティングユニットは、ブラケットとボルトから構成される。また、前記ボルトは、溶接により前記ブラケットに固定される。
【０００４】
しかし、従来のマウンティングユニットの製作は、前記ブラケットおよび前記ボルトそれぞれの成形、前記ブラケットと前記ボルトの溶接などを含んで前記マウンティングユニットが車体に提供されるための工程が複雑になり得る。また、このようなマウンティングユニットの製作は、車量の重量低減のために有利でないこともある。ひいては、従来のマウンティングユニットは、溶接時の熱変形などにより外観美が低下することがある。
【０００５】
この背景技術の部分に記載された事項は、発明の背景に対する理解を増進させるために作成されたものであり、この技術が属する分野における通常の知識を有する者に既に知られた従来技術でない事項を含むことができる。
【発明の概要】
【発明が解決しようとする課題】
【０００６】
したがって、本発明は、前記のような問題点を解決するために創出されたものであって、本発明の目的は、ブラケットおよびハードウェアを含むように製作され、シャーシと結合される車体の多様な部分に適用されるように互換性が向上したマウンティングユニットを提供することにある。
【課題を解決するための手段】
【０００７】
本発明の実施例によるマウンティングユニットは、シャーシと車体の結合のために車体に提供されるマウンティングユニットであってもよい。
【０００８】
本発明の実施例によるマウンティングユニットは、それぞれ多段に折り曲げられた一つの板材と他の一つの板材が接合されて前記一つの板材と前記他の一つの板材で囲まれた空間部を形成し、車体に固定されるブラケット；および前記一つの板材および前記他の一つの板材に接合されて固定されるように前記空間部に配置され、ボルト締結のためのねじ山を形成するハードウェア；を含んでもよい。
【０００９】
前記一つの板材は、前記ブラケットの上側板であるブラケット上板；前記ブラケット上板の一端から折り曲げられて下方に延長されるブラケット一側板；前記ブラケット一側板の下方に延長された終端である一側板接合端；および前記ブラケット上板の他端から折り曲げられて上方に延長される上板接合端；を含み、前記他の一つの板材は、前記ブラケット上板から離隔して平行に配置されるブラケット下板；前記ブラケット下板の一端から折り曲げられて下方に延長され、前記一側板接合端の内面と接触して溶接される下板接合端；前記ブラケット一側板から離隔して平行に配置されるように前記ブラケット下板の他端から折り曲げられて上方に延長されるブラケット他側板；および前記ブラケット他側板の上方に延長された終端であり、前記上板接合端の外面と接触して溶接される他側板接合端；を含んでもよい。
【００１０】
前記一つの板材は、前記ブラケットの上側板であるブラケット上板；前記ブラケット上板の一端から折り曲げられて下方に延長されるブラケット一側上部板；前記ブラケット一側上部板の下方に延長された終端から折り曲げられて外側方向に延長される一側上部板接合端；前記ブラケット上板の他端から折り曲げられて下方に延長されるブラケット他側上部板；および前記ブラケット他側上部板の下方に延長された終端から折り曲げられて外側方向に延長される他側上部板接合端；を含み、前記他の一つの板材は、前記ブラケット上板から離隔して平行に配置されるブラケット下板；前記ブラケット一側上部板と同一の平面上に配置されるように前記ブラケット下板の一端から折り曲げられて上方に延長されるブラケット一側下部板；前記ブラケット一側下部板の上方に延長された終端から折り曲げられて外側方向に延長され、前記一側上部板接合端の下面と接触して溶接される一側下部板接合端；前記ブラケット他側上部板と同一の平面上に配置されるように前記ブラケット下板の他端から折り曲げられて上方に延長されるブラケット他側下部板；および前記ブラケット他側下部板の上方に延長された終端から折り曲げられて外側方向に延長され、前記他側上部板接合端の下面と接触して溶接される他側下部板接合端；を含んでもよい。
【００１１】
前記一つの板材は、前記ブラケットの上側板であるブラケット上板；前記ブラケット上板の一端から折り曲げられて上方に延長されるブラケット一側内板；および前記ブラケット上板の他端から折り曲げられて上方に延長されるブラケット他側内板；を含み、前記他の一つの板材は、前記ブラケット上板から離隔して平行に配置されるブラケット下板；前記ブラケット下板の一端から折り曲げられて上方に延長されるブラケット一側外板；前記ブラケット一側外板の上方に延長された終端であり、前記ブラケット一側内板の外面と接触して溶接される一側外板接合端；前記ブラケット下板の他端から折り曲げられて上方に延長されるブラケット他側外板；および前記ブラケット他側外板の上方に延長された終端であり、前記ブラケット他側内板の外面と接触して溶接される他側外板接合端；を含んでもよい。
【００１２】
前記ハードウェアは、上方および下方が開口された中空の円筒形状で形成され、前記ハードウェアの上端および下端の円周に沿って溶接突起がそれぞれ形成され、前記ハードウェアの中空は、前記ブラケットの上板および下板にそれぞれ穿孔された貫通ホールに対応するように配置され、前記ハードウェアは、前記溶接突起を利用して前記ブラケットの上板および下板にプロジェクション溶接されてもよい。
【００１３】
前記ハードウェアは、上方が閉鎖され、下方が開口された中空の円筒形状で形成され、前記ハードウェアの下端の円周に沿って溶接突起が形成され、前記ハードウェアの中空は、前記ブラケットの下板に穿孔された貫通ホールに対応するように配置され、前記ハードウェアの上端には前記ブラケットの上板に穿孔された貫通ホールに挿入される円錐台形状の挿入端が形成され、前記ハードウェアは、前記挿入端および前記溶接突起を利用して前記ブラケットの上板および下板にプロジェクション溶接されてもよい。
【００１４】
前記ハードウェアは、上方が閉鎖され、下方が開口された中空の円筒形状で形成され、前記ハードウェアの下端の円周に沿って溶接突起が形成され、前記ハードウェアの中空は、前記ブラケットの下板に穿孔された貫通ホールに対応するように配置され、前記ハードウェアの上端には前記ブラケットの上板に穿孔された貫通ホールに挿入される円錐形状の突出端が形成され、前記ハードウェアは、前記突出端および前記溶接突起を利用して前記ブラケットの上板および下板にプロジェクション溶接されてもよい。
【００１５】
前記ねじ山は、前記ハードウェアの中空の内周面に形成されてもよい。
【００１６】
前記空間部は、前記ブラケット上板および前記ブラケット一側板の配置による前記一つの板材の「Ｌ」字断面および前記ブラケット下板および前記ブラケット他側板の配置による前記他の一つの板材の「Ｌ」字断面で囲まれたボックス形状であってもよい。
【００１７】
前記空間部は、前記ブラケット上板、前記ブラケット一側上部板、および前記ブラケット他側上部板の配置による前記一つの板材の上方に凸の「Ｕ」字断面および前記ブラケット下板、前記ブラケット一側下部板、および前記ブラケット他側下部板の配置による前記他の一つの板材の下方に凸の「Ｕ」字断面で囲まれたボックス形状であってもよい。
【００１８】
前記空間部は、前記ブラケット下板、前記ブラケット一側外板、および前記ブラケット他側外板の配置による前記他の一つの板材の下方に凸の「Ｕ」字断面および前記ブラケット上板で囲まれたボックス形状であってもよい。
【００１９】
前記マウンティングユニットは、ボックス形状の断面を有する車体の部分でボックス内部空間に配置されるように車体に装着されてもよい。
【発明の効果】
【００２０】
それ以外に本発明の実施例により得られるか、予測される効果については本発明の実施例に対する詳細な説明で直接的または暗示的に開示される。つまり、本発明の実施例により予測される多様な効果については後述する詳細な説明内で開示される。
【図面の簡単な説明】
【００２１】
【図１】本発明の実施例によるマウンティングユニットの第１タイプ構造の斜視図である。
【図２】本発明の実施例によるマウンティングユニットの第２タイプ構造の斜視図である。
【図３】本発明の実施例によるマウンティングユニットの第３タイプ構造の斜視図である。
【図４】本発明の一つの実施例によるハードウェアを示すように図１のＡ−Ａ線に沿って切開した断面図である。
【図５】本発明の他の一つの実施例によるハードウェアを示すように図２のＢ−Ｂ線に沿って切開した断面図である。
【図６】本発明のまた他の一つの実施例によるハードウェアを示すように図３のＣ−Ｃ線に沿って切開した断面図である。
【発明を実施するための形態】
【００２２】
以下、添付した図面を参照して本発明の実施例について本発明が属する技術分野における通常の知識を有する者が容易に実施することができるように詳しく説明する。しかし、本発明は、多様な異なる形態に実現することができ、ここで説明する実施例に限定されない。
【００２３】
本発明を明確に説明するために、説明上、不要な部分は省略し、明細書全体にわたって同一または類似する構成要素については同一の図面符号を適用して説明する。
【００２４】
また、下記の説明で構成の名称を第１、第２などに区分したことは、その構成の名称が同一でこれを区分するためのものであり、必ずその順序に限定されるのではない。
【００２５】
図１は、本発明の実施例によるマウンティングユニットの第１タイプ構造の斜視図であり、図２は、本発明の実施例によるマウンティングユニットの第２タイプ構造の斜視図であり、図３は、本発明の実施例によるマウンティングユニットの第３タイプ構造の斜視図である。
【００２６】
図１乃至図３に示されているように、本発明の実施例によるマウンティングユニット１は、ブラケット１０およびハードウェア２０、１２０、２２０を含む。また、本発明の実施例によるマウンティングユニット１に適用されるブラケット１０は、それぞれ多段に折り曲げられた２枚の板材１０ａ、１０ｂが接合されて構成される。言い換えると、前記ブラケット１０は、第１板材１０ａおよび第２板材１０ｂを含む。ひいては、前記第１板材１０ａおよび前記第２板材１０ｂは、それぞれ多段に折り曲げた状態で前記第１板材１０ａの一端と前記第２板材１０ｂの一端が接合され、前記第１板材１０ａの他端と前記第２板材１０ｂの他端が接合される。説明の便宜上、前記第１板材１０ａの一端と前記第２板材１０ｂの一端が接合される部分を第１接合部１８と称し、前記第１板材１０ａの他端と前記第２板材１０ｂの他端が接合される部分を第２接合部１９と称すこととする。
【００２７】
前記ブラケット１０は、前記第１接合部１８と前記第２接合部１９の間で前記第１板材１０ａおよび前記第２板材１０ｂが折り曲げられる形状によって前記第１板材１０ａと前記第２板材１０ｂで囲まれた空間部Ｓを形成し、前記ハードウェア２０、１２０、２２０は、前記第１板材１０ａおよび前記第２板材１０ｂに固定されるように前記空間部Ｓに配置される。また、前記ブラケット１０は、前記第１接合部１８と前記第２接合部１９の間で前記第１板材１０ａおよび前記第２板材１０ｂが折り曲げられる形状によって多様なタイプの構造を有する。以下、図１乃至図３を参照して本発明の実施例によるマウンティングユニット１の構造を３つのタイプで説明するが、マウンティングユニット１構造の多様なタイプはこれに限定されない。一方、後続する説明で前記空間部Ｓの中心に近づく方向を内側方向と定義し、前記空間部Ｓの中心から遠ざかる方向を外側方向と定義し、内面および外面などの表現はこれを基準とする。
【００２８】
図１を参照すれば、本発明の実施例によるマウンティングユニット１の第１タイプ構造は、第１板材１０ａがブラケット上板１５ａ、ブラケット一側板１７ａ、一側板接合端１８ａ、および上板接合端１９ａを含み、第２板材１０ｂがブラケット下板１５ｂ、下板接合端１８ｂ、ブラケット他側板１７ｂ、および他側板接合端１９ｂを含むようになっている。
【００２９】
前記ブラケット上板１５ａは、水平に配置される前記ブラケット１０の上側板であってもよく、説明の便宜上、前記ブラケット上板１５ａが水平に配置されたことを基準として説明する。
【００３０】
前記ブラケット一側板１７ａは、前記ブラケット上板１５ａの一端から折り曲げられて下方に延長される。
【００３１】
前記一側板接合端１８ａは、前記下方に延長されたブラケット一側板１７ａの終端である。
【００３２】
前記上板接合端１９ａは、前記ブラケット上板１５ａの他端から折り曲げられて上方に延長される。
【００３３】
一方、前記マウンティングユニット１の第１タイプ構造の第１板材１０ａは、前記ブラケット上板１５ａおよび前記ブラケット一側板１７ａの配置によって全体的な形状が「Ｌ」字断面を有するように形成され、「Ｌ」字断面の両端に溶接部Ｗを確保するように前記一側板接合端１８ａおよび前記上板接合端１９ａを形成する。
【００３４】
前記ブラケット下板１５ｂは、前記ブラケット上板１５ａの下に水平に配置される前記ブラケット１０の下側板である。また、前記ブラケット下板１５ｂは、前記ブラケット上板１５ａから離隔して平行に配置される。つまり、前記ブラケット上板１５ａの内面と前記ブラケット下板１５ｂの内面は対向する。
【００３５】
前記下板接合端１８ｂは、前記ブラケット下板１５ｂの一端から折り曲げられて下方に延長される。また、前記下板接合端１８ｂの外面は、前記一側板接合端１８ａの内面と接触して溶接される。ここで、前記下板接合端１８ｂと前記一側板接合端１８ａが接触する部分が第１接合部１８である。
【００３６】
前記ブラケット他側板１７ｂは、前記ブラケット下板１５ｂの他端から折り曲げられて上方に延長される。また、前記ブラケット他側板１７ｂは、前記ブラケット一側板１７ａから離隔して平行に配置される。つまり、前記ブラケット他側板１７ｂの内面と前記ブラケット一側板１７ａの内面は対向する。
【００３７】
前記他側板接合端１９ｂは、前記上方に延長されたブラケット他側板１７ｂの終端である。また、前記他側板接合端１９ｂの内面は、前記上板接合端１９ａの外面と接触して溶接される。ここで、前記他側板接合端１９ｂと前記上板接合端１９ａが接触する部分が第２接合部１９である。
【００３８】
一方、前記マウンティングユニット１の第１タイプ構造の第２板材１０ｂは、前記ブラケット下板１５ｂおよび前記ブラケット他側板１７ｂの配置によって全体的な形状が「Ｌ」字断面を有するように形成され、「Ｌ」字断面の両端に溶接部Ｗを確保するように前記下板接合端１８ｂおよび前記他側板接合端１９ｂを形成する。ひいては、前記マウンティングユニット１の第１タイプ構造は、前記第１板材１０ａの「Ｌ」字断面と前記第２板材１０ｂの「Ｌ」字断面が結合されたボックス形状の断面を有する。つまり、前記空間部Ｓは、ボックス形状の空間になる。
【００３９】
図２を参照すれば、本発明の実施例によるマウンティングユニット１の第２タイプ構造は、第１板材１０ａがブラケット上板１１５ａ、ブラケット一側上部板１１７ａ、一側上部板接合端１１８ａ、ブラケット他側上部板１１６ａ、および他側上部板接合端１１９ａを含み、第２板材１０ｂがブラケット下板１１５ｂ、ブラケット一側下部板１１７ｂ、一側下部板接合端１１８ｂ、ブラケット他側下部板１１６ｂ、および他側下部板接合端１１９ｂを含むようになっている。
【００４０】
前記ブラケット上板１１５ａは、水平に配置される前記ブラケット１０の上側板であってもよく、説明の便宜上、前記ブラケット上板１１５ａが水平に配置されたことを基準として説明する。
【００４１】
前記ブラケット一側上部板１１７ａは、前記ブラケット上板１１５ａの一端から折り曲げられて下方に延長される。
【００４２】
前記一側上部板接合端１１８ａは、前記下方に延長されたブラケット一側上部板１１７ａの終端から折り曲げられて外側方向に延長される。
【００４３】
前記ブラケット他側上部板１１６ａは、前記ブラケット上板１１５ａの他端から折り曲げられて下方に延長される。
【００４４】
前記他側上部板接合端１１９ａは、前記下方に延長されたブラケット他側上部板１１６ａの終端から折り曲げられて外側方向に延長される。
【００４５】
一方、前記マウンティングユニット１の第２タイプ構造の第１板材１０ａは、前記ブラケット上板１１５ａ、前記ブラケット一側上部板１１７ａ、および前記ブラケット他側上部板１１６ａの配置によって全体的な形状が「Ｕ」字断面を有するように形成され、「Ｕ」字断面の両端に溶接部Ｗを確保するように前記一側上部板接合端１１８ａおよび前記他側上部板接合端１１９ａを形成する。
【００４６】
前記ブラケット下板１１５ｂは、前記ブラケット上板１１５ａの下に水平に配置される前記ブラケット１０の下側板である。また、前記ブラケット下板１１５ｂは、前記ブラケット上板１１５ａから離隔して平行に配置される。つまり、前記ブラケット上板１１５ａの内面と前記ブラケット下板１１５ｂの内面は対向する。
【００４７】
前記ブラケット一側下部板１１７ｂは、前記ブラケット下板１１５ｂの一端から折り曲げられて上方に延長される。また、前記ブラケット一側下部板１１７ｂは、前記ブラケット一側上部板１１７ａと同一の平面上に配置されてもよい。
【００４８】
前記一側下部板接合端１１８ｂは、前記上方に延長されたブラケット一側下部板１１７ｂの終端から折り曲げられて外側方向に延長される。また、前記一側下部板接合端１１８ｂの上面は、前記一側上部板接合端１１８ａの下面と接触して溶接される。ここで、前記一側下部板接合端１１８ｂと前記一側上部板接合端１１８ａが接触する部分が第１接合部１８である。
【００４９】
前記ブラケット他側下部板１１６ｂは、前記ブラケット下板１１５ｂの他端から折り曲げられて上方に延長される。また、前記ブラケット他側下部板１１６ｂは、前記ブラケット他側上部板１１６ａと同一の平面上に配置されてもよい。
【００５０】
前記他側下部板接合端１１９ｂは、前記上方に延長されたブラケット他側下部板１１６ｂの終端から折り曲げられて外側方向に延長される。また、前記他側下部板接合端１１９ｂの上面は、前記他側上部板接合端１１９ａの下面と接触して溶接される。ここで、前記他側下部板接合端１１９ｂと前記他側上部板接合端１１９ａが接触する部分が第２接合部１９である。
【００５１】
一方、前記マウンティングユニット１の第２タイプ構造の第２板材１０ｂは、前記ブラケット下板１１５ｂ、前記ブラケット一側下部板１１７ｂ、および前記ブラケット他側下部板１１６ｂの配置によって全体的な形状が「Ｕ」字断面を有するように形成され、「Ｕ」字断面の両端に溶接部Ｗを確保するように前記一側下部板接合端１１８ｂおよび前記他側下部板接合端１１９ｂを形成する。ひいては、前記マウンティングユニット１の第２タイプ構造は、前記第１板材１０ａの上方に凸の「Ｕ」字断面と前記第２板材１０ｂの下方に凸の「Ｕ」字断面が結合されたボックス形状の断面を有する。つまり、前記空間部Ｓは、ボックス形状の空間になる。
【００５２】
図３を参照すれば、本発明の実施例によるマウンティングユニット１の第３タイプ構造は、第１板材１０ａがブラケット上板２１５ａ、ブラケット一側内板２１７ａ、一側内板接合端２１８ａ、ブラケット他側内板２１６ａ、および他側内板接合端２１９ａを含み、第２板材１０ｂがブラケット下板２１５ｂ、ブラケット一側外板２１７ｂ、一側外板接合端２１８ｂ、ブラケット他側外板２１６ｂ、および他側外板接合端２１９ｂを含むようになっている。
【００５３】
前記ブラケット上板２１５ａは、水平に配置される前記ブラケット１０の上側板であってもよく、説明の便宜上、前記ブラケット上板２１５ａが水平に配置されたことを基準として説明する。
【００５４】
前記ブラケット一側内板２１７ａは、前記ブラケット上板２１５ａの一端から折り曲げられて上方に延長される。
【００５５】
前記一側内板接合端２１８ａは、前記上方に延長されたブラケット一側内板２１７ａの終端である。また、前記一側内板接合端２１８ａは、前記ブラケット一側内板２１７ａそのものであってもよい。
【００５６】
前記ブラケット他側内板２１６ａは、前記ブラケット上板２１５ａの他端から折り曲げられて上方に延長される。
【００５７】
前記他側内板接合端２１９ａは、前記上方に延長されたブラケット他側内板２１６ａの終端である。また、前記他側内板接合端２１９ａは、前記ブラケット他側内板２１６ａそのものであってもよい。
【００５８】
一方、前記マウンティングユニット１の第３タイプ構造の第１板材１０ａは、前記ブラケット上板２１５ａ、前記ブラケット一側内板２１７ａ、および前記ブラケット他側内板２１６ａの配置によって全体的な形状が「Ｕ」字断面を有するように形成され、「Ｕ」字断面の両端に溶接部Ｗを確保するように前記一側内板接合端２１８ａおよび前記他側内板接合端２１９ａを形成する。
【００５９】
前記ブラケット下板２１５ｂは、前記ブラケット上板２１５ａの下に水平に配置される前記ブラケット１０の下側板である。また、前記ブラケット下板２１５ｂは、前記ブラケット上板２１５ａから離隔して平行に配置される。つまり、前記ブラケット上板２１５ａの内面と前記ブラケット下板２１５ｂの内面は対向する。
【００６０】
前記ブラケット一側外板２１７ｂは、前記ブラケット下板２１５ｂの一端から折り曲げられて上方に延長される。
【００６１】
前記一側外板接合端２１８ｂは、前記上方に延長されたブラケット一側外板２１７ｂの終端である。また、前記一側外板接合端２１８ｂの内面は、前記一側内板接合端２１８ａの外面と接触して溶接される。ここで、前記一側外板接合端２１８ｂと前記一側内板接合端２１８ａが接触する部分が第１接合部１８である。
【００６２】
前記ブラケット他側外板２１６ｂは、前記ブラケット下板２１５ｂの他端から折り曲げられて上方に延長される。
【００６３】
前記他側外板接合端２１９ｂは、前記上方に延長されたブラケット他側外板２１６ｂの終端である。また、前記他側外板接合端２１９ｂの内面は、前記他側内板接合端２１９ａの外面と接触して溶接される。ここで、前記他側外板接合端２１９ｂと前記他側内板接合端２１９ａが接触する部分が第２接合部１９である。
【００６４】
一方、前記マウンティングユニット１の第３タイプ構造の第２板材１０ｂは、前記ブラケット下板２１５ｂ、前記ブラケット一側外板２１７ｂ、および前記ブラケット他側外板２１６ｂの配置によって全体的な形状が「Ｕ」字断面を有するように形成され、「Ｕ」字断面の両端に溶接部Ｗを確保するように前記一側外板接合端２１８ｂおよび前記他側外板接合端２１９ｂを形成する。ひいては、前記マウンティングユニット１の第３タイプ構造は、前記第１板材１０ａの下方に凸の「Ｕ」字断面と前記第２板材１０ｂの下方に凸の「Ｕ」字断面が結合されたボックス形状の断面を有する。つまり、前記空間部Ｓは、ボックス形状の空間になる。
【００６５】
前記マウンティングユニット１の第１、２、３タイプ構造は、車体の一部分でボックス形状の断面を有するメンバーのボックス内部空間に提供されて車体に固定される。
【００６６】
図４は、本発明の一つの実施例によるハードウェアを示すように図１のＡ−Ａ線に沿って切開した断面図であり、図５は、本発明の他の一つの実施例によるハードウェアを示すように図２のＢ−Ｂ線に沿って切開した断面図であり、図６は、本発明のまた他の一つの実施例によるハードウェアを示すように図３のＣ−Ｃ線に沿って切開した断面図である。
【００６７】
本発明の一つの実施例、他の一つの実施例、およびまた他の一つの実施例によるハードウェア２０、１２０、２２０は、前記ブラケット１０の空間部Ｓで上端が前記第１板材１０ａに固定され、下端が前記第２板材１０ｂに固定されるように前記マウンティングユニット１の第１、２、３タイプ構造に全て適用可能である。一方、図１には、本発明の一つの実施例によるハードウェア２０が適用されたマウンティングユニット１が示され、図２には、本発明の他の一つの実施例によるハードウェア１２０が適用されたマウンティングユニット１が示され、図３には、本発明のまた他の一つの実施例によるハードウェア２２０が適用されたマウンティングユニット１が示されている。
【００６８】
図１および図４を参照すれば、本発明の一つの実施例によるハードウェア２０は、上方および下方が開口された中空の円筒形状で形成され、前記ハードウェア２０の上端および下端の円周に沿って溶接突起２１がそれぞれ形成される。
【００６９】
前記ハードウェア２０の上端は、前記ブラケット上板１５ａ、１１５ａ、２１５ａの内面に溶接され、下端は、前記ブラケット下板１５ｂ、１１５ｂ、２１５ｂの内面に溶接される。この時、前記ハードウェア２０の中空２７は、前記ブラケット上板１５ａ、１１５ａ、２１５ａおよび前記ブラケット下板１５ｂ、１１５ｂ、２１５ｂにそれぞれ穿孔された貫通ホールＨ１に対応するように配置される。また、前記溶接突起２１により溶接面的が増大し、溶接強度（ｓｔｒｅｎｇｔｈ  ｏｆ  ｗｅｌｄ）が増加することができる。ひいては、前記溶接突起２１を利用してプロジェクション溶接（ｐｒｏｊｅｃｔｉｏｎ  ｗｅｌｄｉｎｇ）が行われてもよく、プロジェクション溶接を行う場合に前記ハードウェア２０の上端および下端が一回の工程により前記ブラケット１０に接合されてもよい。
【００７０】
前記ハードウェア２０の中空２７内周面にはねじ山が形成される。したがって、前記ハードウェア２０は、前記中空２７に締結されるボルト（図示せず）によりシャーシと結合する。
【００７１】
図２および図５を参照すれば、本発明の他の一つの実施例によるハードウェア１２０は、上方が閉鎖され、下方が開口された中空の円筒形状で形成され、前記ハードウェア１２０の下端の円周に沿って溶接突起２１が形成される。また、前記ハードウェア１２０の上端は、前記ブラケット上板１５ａ、１１５ａ、２１５ａの内面に溶接され、下端は、前記ブラケット下板１５ｂ、１１５ｂ、２１５ｂの内面に溶接される。ここで、前記ハードウェア１２０の下端に形成された溶接突起２１は、本発明の一つの実施例によるハードウェア２０の下端に形成された溶接突起２１と同一であり、前記ハードウェア１２０の中空２７は、上方が閉鎖されたことを除いては本発明の一つの実施例によるハードウェア２０の中空２７と同一であるため、これについての反復的な説明は省略する。
【００７２】
前記ハードウェア１２０の上端には円錐台形状の挿入端１２３が上方に行くほど断面積が漸進的に狭くなるように突出して形成される。また、前記挿入端１２３は、前記ブラケット上板１５ａ、１１５ａ、２１５ａに穿孔された貫通ホールＨ１に挿入される。ひいては、前記挿入端１２３は、前記貫通ホールＨ１に挿入された状態で前記ブラケット上板１５ａ、１１５ａ、２１５ａにプロジェクション溶接される。
【００７３】
図３および図６を参照すれば、本発明のまた他の一つの実施例によるハードウェア２２０は、上方が閉鎖され、下方が開口された中空の円筒形状で形成され、前記ハードウェア２２０の下端の円周に沿って溶接突起２１が形成される。また、前記ハードウェア２２０の上端は、前記ブラケット上板１５ａ、１１５ａ、２１５ａの内面に溶接され、下端は、前記ブラケット下板１５ｂ、１１５ｂ、２１５ｂの内面に溶接される。ここで、前記ハードウェア２２０の下端に形成された溶接突起２１は、本発明の一つの実施例によるハードウェア２０の下端に形成された溶接突起２１と同一であり、前記ハードウェア２２０の中空２７は、上方が閉鎖されたことを除いては本発明の一つの実施例によるハードウェア２０の中空２７と同一であるため、これについての反復的な説明は省略する。
【００７４】
前記ハードウェア２２０の上端には円錐形状の突出端２２５が上方に行くほど断面積が漸進的に狭くなるように突出して形成される。また、前記突出端２２５は、前記ブラケット上板１５ａ、１１５ａ、２１５ａに穿孔された貫通ホールＨ２に挿入される。ひいては、前記突出端２２５は、前記貫通ホールＨ２に挿入された状態で前記ブラケット上板１５ａ、１１５ａ、２１５ａにプロジェクション溶接される。ここで、前記ブラケット上板１５ａ、１１５ａ、２１５ａに穿孔された貫通ホールＨ２は、前記突出端２２５に対応する上方に行くほど漸進的に狭くなる形状を有するように変形されてもよい。
【００７５】
前述のように、本発明の実施例によるマウンティングユニット１は、前記ブラケット１０の内部にハードウェア２０が接合されるように製作した後に車体のボックス形状の断面を有する部分でボックス内部空間に装着されてシャーシと結合することによって、車種およびシャーシの種類に関係なしに前記マウンティングユニット１の共用化が可能である。
【００７６】
また、前記ブラケット１０と前記ハードウェア２０、１２０、２２０がプロジェクション溶接されることによって、溶接品質が保障されると同時に工程が単純になり、生産性が向上することができる。
【００７７】
また、前記ハードウェア２０、１２０、２２０が前記ブラケット上板１５ａ、１１５ａ、２１５ａおよび前記ブラケット下板１５ｂ、１１５ｂ、２１５ｂに二重に接合されることによって、構造的剛性が増大することができる。
【００７８】
また、前記ハードウェア２０、１２０、２２０の上端および下端を全て加工して溶接の効果を向上させる溶接面が確保され得る。
【００７９】
以上では本発明の好ましい実施例を参照して説明したが、当該技術分野における通常の知識を有する者であれば特許請求の範囲に記載された本発明の思想および領域から逸脱しない範囲内で本発明を多様に修正および変更可能であることを理解できるはずである。
【図１】
2019104478.tif 000003
【図２】
2019104478.tif 000004
【図３】
2019104478.tif 000005
【図４】
2019104478.tif 000006
【図５】
2019104478.tif 000007
【図６】
2019104478.tif 000008